(57)【要約】【課題】ケースと、複数の駆動ギヤと、気体操作レバーと、を含むエアモータである。【解決手段】ケースは、互いに連通された吸気通路、第１通気路、第２通気路及び作動空間を有する。各駆動ギヤは、互いに噛み合ってケースに枢着されるように、作動空間に位置する。気体操作レバーは、操作レバー及び気体ガイドを含む。気体ガイドは、気体ガイド溝、吸気穴及び排気穴を有する。ガイド溝は、第１通気路又は第２通気路に対応して連通されることができる。操作レバーが気体ガイドの回転方向及び角度を制御することで、エアモータの時計回り、反時計回りの回転方向を安全且つ迅速に任意に変えると共に、その回転速度を調整することができる。【選択図】図４
2018021551.tif 000002
【特許請求の範囲】
【請求項１】
吸気通路、第１通気路、第２通気路及び作動空間を有し、前記作動空間が前記吸気通路、前記第１通気路及び前記第２通気路に連通されるケースと、
互いに噛み合って前記ケースに枢着されるように、前記作動空間に位置する複数の駆動ギヤと、
気体ガイド及び前記気体ガイドに接続された制御するための操作レバーを含み、前記気体ガイドは前記第１通気路又は前記第２通気路に対応して連通されることができる気体ガイド溝、前記第１通気路又は前記第２通気路に対応して連通されることができる吸気穴、及び前記吸気穴に連通された排気穴を有する気体操作レバーと、
を含むエアモータ。
【請求項２】
前記ケースは、頂壁、底壁、及び前記頂壁と前記底壁を接続する２つの側壁を含み、前記頂壁、前記底壁及び各前記側壁により共に前記作動空間を囲み、前記第１通気路及び前記第２通気路はそれぞれ各前記側壁に形成され、前記吸気通路は前記頂壁に形成される請求項１に記載のエアモータ。
【請求項３】
前記ケースの両面に、それぞれ前記作動空間をマスキングする第１ケース及び第２ケースが取り付けられる請求項２に記載のエアモータ。
【請求項４】
前記第１通気路及び前記第２通気路は、それぞれ前記作動空間の両側に位置し、前記第１通気路及び前記第２通気路の両端にそれぞれ第１通気口及び第２通気口が形成され、各前記第１通気口は前記気体ガイドの気体ガイド溝に対応することができ、各前記第２通気口は前記作動空間に連通される請求項２又は３に記載のエアモータ。
【請求項５】
一方の前記複数の駆動ギヤは、各前記第２通気口に対応的に設置される請求項４に記載のエアモータ。
【請求項６】
各前記複数の駆動ギヤに、それぞれ前記複数の駆動ギヤを枢着貫通するピボット及び各前記ピボットに位置すると共にその位置を枢着固定するための枢着具が設けられる請求項１から５のいずれか一項に記載のエアモータ。
【請求項７】
前記ピボットに取り付けられる伝達ギヤを更に含む請求項６に記載のエアモータ。
【発明の詳細な説明】
【技術分野】
【０００１】
本発明は、モータに関し、特に、エアモータに関する。
【背景技術】
【０００２】
モータは、電気モータ及びエアモータに分けられる。エアモータは、更に、ピストン式と羽根式に分けられる。エアモータは、主に、圧縮気体で駆動され、トルクの出力を提供し、更に、外部機器を連動して回転させる。
【０００３】
従来のエアモータ構造は、主に、ケース、ロータ、吸気バルブ組及び吸気ユニットからなる。全体の効率を向上させるために、吸気バルブ組は吸気具及び調整具を含み、且つ吸気具に２つの吸気口が設置され、調整具に複数の排気穴が環状に設けられる。吸気ユニットは吸気室に対応的に設置されて、吸気バルブ組から入ってロータを駆動する気体を提供することができる。
【０００４】
前記従来のエアモータは、全体の動力出力の効果を向上させるために、その構造が比較的に複雑で、且つ修理が容易ではなく、製造コストが高い。より重要なのは、このような従来エアモータは、任意且つリアルタイムにその回転方向を変えることができない。
【発明の概要】
【発明が解決しようとする課題】
【０００５】
本発明の主な目的は、モータの回転方向及び回転速度を迅速且つ安全的に任意に変えることができるエアモータを提供することである。
【課題を解決するための手段】
【０００６】
本発明の一態様によれば、吸気通路、第１通気路、第２通気路及び作動空間を有し、前記作動空間が吸気通路、第１通気路及び第２通気路に連通されるケースと、互いに噛み合ってケースに枢着されるように、作動空間に位置する複数の駆動ギヤと、気体ガイド及び前記気体ガイドに接続された制御するための操作レバーを含み、気体ガイドは第１通気路又は第２通気路に対応して連通されることができる気体ガイド溝、第１通気路又は第２通気路に対応して連通されることができる吸気穴及び前記吸気穴に連通された排気穴を有する気体操作レバーと、を含むエアモータを提供する。
【０００７】
本発明の一実施例によれば、ケースは、頂壁、底壁、及び前記頂壁と底壁を接続する２つの側壁を含み、頂壁、底壁及び２つの側壁により共に作動空間を囲み、第１通気路及び第２通気路はそれぞれ各側壁に形成され、吸気通路は頂壁に形成される。
【０００８】
本発明の一実施例によれば、ケースの両面に、それぞれ作動空間をマスキングする第１ケース及び第２ケースが取り付けられる。
【０００９】
本発明の一実施例によれば、第１通気路及び第２通気路は、それぞれ作動空間の両側に位置し、第１通気路及び第２通気路の両側にそれぞれ第１通気口及び第２通気口が形成され、各第１通気口は気体ガイドの気体ガイド溝に対応することができ、各第２通気口は作動空間に連通される。
【００１０】
本発明の一実施例によれば、一方の駆動ギヤは、各第２通気口部に対応的に設置される。
【００１１】
本発明の一実施例によれば、各駆動ギヤにそれぞれ前記駆動ギヤを枢着貫通するピボット及び各ピボットに位置すると共にその位置を枢着固定するための枢着具が設けられる。
【００１２】
本発明の一実施例によれば、ピボットに取り付けられる伝達ギヤを更に含む。
【００１３】
本発明のエアモータによれば、操作レバーにより気体ガイドの回転方向及び角度を制御することで、エアモータの時計回り、反時計回りの回転方向を安全且つ迅速に任意に変えると共に、その回転速度を調整することができる。
【図面の簡単な説明】
【００１４】
【図１】本発明の一実施形態によるエアモータを示す斜視模式図である。
【図２】図１に示すエアモータを示す斜視分解模式図である。
【図３】図１に示すエアモータを示す断面構造模式図である。
【図４】図１に示すエアモータを示す断面模式図であり、且つその吸気気体流動の状態を示す。
【図５】図１に示すエアモータを示す他の断面模式図であり、且つその排気の状態を示す。
【図６】図１に示すエアモータを示す断面構造模式図であり、且つその気体入力を遮断する状態を示す。
【発明を実施するための形態】
【００１５】
本発明の前記及びその他の技術内容、特徴及び効果について、以下、参照図面の実施例を組み合わせる詳しい説明において、明らかに示すことができる。
【００１６】
図１〜図３を参照されたい。本発明の一実施形態によるエアモータ１は、主に、ケース１０と、２つの駆動ギヤ１２と、気体操作レバー１４と、を含む。
【００１７】
ケース１０は、頂壁１００、底壁１０１、及び頂壁１００と底壁１０１を接続する２つの側壁１０２を含む。各側壁１０２にそれぞれ第１通気路１０３及び第２通気路１０４が設置される。頂壁１００に吸気通路１０５が設けられる。頂壁１００、底壁１０１及び側壁１０２により共に作動空間１０６を囲む。作動空間１０６は、吸気通路１０５、第１通気路１０３及び第２通気路１０４に連通される。ケース１０の両面に、それぞれ作動空間１０６を遮断するための第１ケース１６及び第２ケース１８が取り付けられる。
【００１８】
各駆動ギヤ１２は、互いに噛み合ってケース１０に枢着されるように、ケース１０の作動空間１０６に位置する。第１通気路１０３及び第２通気路１０４は、それぞれ作動空間１０６の両側に位置すると共に、第１通気路１０３及び第２通気路１０４の両端にそれぞれ第１通気口１０７及び第２通気口１０８を有する。各第１通気口１０７は、下記気体ガイド１４０の気体ガイド溝１４０２に対応することができる。各第２通気口１０８は、作動空間１０６に連通される。一方の駆動ギヤ１２は、各第２通気口１０８に対応的に位置する。
【００１９】
駆動ギヤ１２にピボット１２０及び枢着具１２２が設置される。ピボット１２０が駆動ギヤ１２に枢着貫通される。枢着具１２２は、ピボット１２０の両端に位置すると共にケース１０に枢着固定される。ピボット１２０に更に伝達ギヤ１２４が取り付けられ、伝達ギヤ１２４により動力を接続された外部設備又は機器に伝達する。
【００２０】
気体操作レバー１４は、気体ガイド１４０及び該気体ガイド１４０に接続された制御するための操作レバー１４２を含む。気体ガイド１４０は、気体ガイド溝１４０２、吸気穴１４０４及び排気穴１４０６を有する。操作レバー１４２が気体ガイド１４０を制御してその回転位置を変える時、気体ガイド溝１４０２は、第１通気路１０３又は第２通気路１０４に対応して連通されることができる。吸気穴１４０４も第１通気路１０３又は第２通気路１０４に対応して連通されることができる。排気穴１４０６は、吸気穴１４０４に連通される。
【００２１】
図４及び図５を共に参照されたい。図４及び図５は、それぞれエアモータの吸気気体流動状態及び排気状態を示す。使用時、外部の供給気体を吸気通路１０５を通してエアモータに入力する。気体ガイド１４０は、操作レバー１４２の左右回転の制御で方向を変えることができる。図４において、操作レバー１４２を左側に回転することにより、気体ガイド溝１４０２と第２通気路１０４を連通させるため、気体は、第２通気路１０４の第１通気口１０７から第２通気路１０４に入って、更に、第２通気路１０４の第２通気口１０８から作動空間１０６に入る。このため、上方駆動ギヤ１２を右回り方向へ回転させるように押圧して、上方駆動ギヤ１２に噛み合う下方駆動ギヤ１２を左回り方向へ回転させる。駆動ギヤ１２の回転速度は、気体の強さに従って増加または減少する。駆動ギヤ１２を押圧する気体は、第１通気路１０３から排出される。図５を参照されたい。第１通気路１０３を介して排出された気体は、気体ガイド１４０の吸気穴１４０４に入って、更に排気穴１４０６から排出され、これにより気体の吸気及び排気の循環工程を達成すると共に、駆動ギヤ１２を押圧して回転させ、これによって、連結された外部機器を一方向へ回転させる。
【００２２】
逆も同様に、操作レバー１４２を右側へ回転させる時、気体ガイド溝１４０２と第１通気路１０３を連通させるため、気体は、第１通気路１０３の第１通気口１０７から第１通気路１０３に入って、更に、第１通気路１０３の第２通気口１０８から作動空間１０６に入る。このため、上方駆動ギヤ１２を左回り方向へ回転させるように押圧して、上方駆動ギヤ１２に噛み合う下方駆動ギヤ１２を右回り方向へ回転させる。駆動ギヤ１２を押圧する気体は、第２通気路１０４から排出される。第２通気路１０４を介して排出された気体は、気体ガイド１４０の吸気穴１４０４に入って、更に、排気穴１４０６から排出され、これによって、気体の逆方向の吸気及び排気の循環工程を達成し、且つ駆動ギヤ１２を押圧して回転させ、連結された外部機器を上部の前記方向に反対する方向へ回転させる。
【００２３】
このため、エアモータ１は、駆動ギヤの回転方向を迅速且つ任意に変えることができるので、回転方向を緊急に変えて出力形態を変換する必要のある外部機器に対して、リアルタイムに出力方向を変換するだけでなく、緊急な回転方向変換によるエアモータの故障及び損壊が発生しない。
【００２４】
また、気体ガイド１４０を回転した後の角度位置は、気体ガイド溝１４０２と第１通気路１０３又は第２通気路１０４とを互いに連通させる空間の大きさに影響を与えることがある。入力された気体の圧力が一定である場合、気体ガイド１４０を最大限まで回転させる時、気体ガイド溝１４０２と第１通気路１０３又は第２通気路１０４を連通させる空間を最大にし、その動力の出力が最大であり、気体ガイド１４０の回転角度が小さくなることにつれて、その気体ガイド溝１４０２と第１通気路１０３又は第２通気路１０４を連通させる空間も次第に小さくなるため、気体を輸送して駆動ギヤ１２を押圧する力も小さくなり、動力の出力を更に減少する。
【００２５】
図６を参照されたい。図６は、本発明のエアモータの気体入力を遮断する状態を示す。操作レバー１４２が中央位置に位置する時、気体ガイド溝１４０２は、第１通気路１０３及び第２通気路１０４と連通されない状態を示す。このため、気体は第１通気路１０３又は第２通気路１０４によって作動空間１０６に輸送されることができないため、駆動ギヤ１２を押圧して移動させることはできない。気体は、気体ガイド１４０とケース１０との間のギャップに沿って排出される。
【００２６】
本発明のエアモータによれば、駆動ギヤの回転速度は気体入力の圧力の大きさに決められるため、回転速度を容易に調整することができる。本発明によれば、操作レバーが気体ガイドの回転角度を制御することにより気体入力の圧力を調整することができ、更に、エアモータの回転速度をより直接且つより容易に制御することができる。また、気体操作レバーにおける気体ガイドと駆動ギヤとの間は、単純な機械構造であることにより、随時に気体ガイドの回転方向を変えれば、直ちに駆動ギヤの回転方向を変えることができ、故障問題が発生せず、これによって、迅速且つ安全に駆動モータの時計回り、反時計回りの制御を任意に行うことを達成する。
【００２７】
本発明の実施形態を前述の通りに開示したが、これは、本発明を限定するものではなく、当業者であれば、本発明の精神と範囲から逸脱しない限り、多様の変更や修正を加えてもよく、したがって、本発明の保護範囲は、後の特許請求の範囲で指定した内容を基準とする。
【符号の説明】
【００２８】
１    エアモータ
１０    ケース
１００    頂壁
１０１    底壁
１０２    側壁
１０３    第１通気路
１０４    第２通気路
１０５    吸気通路
１０６    作動空間
１０７    第１通気口
１０８    第２通気口
１２    駆動ギヤ
１２０    ピボット
１２２    枢着具
１２４    伝達ギヤ
１４    気体操作レバー
１４０    気体ガイド
１４０２    気体ガイド溝
１４０４    吸気穴
１４０６    排気穴
１４２    操作レバー
１６    第１ケース
１８    第２ケース
【図１】
2018021551.tif 000003
【図２】
2018021551.tif 000004
【図３】
2018021551.tif 000005
【図４】
2018021551.tif 000006
【図５】
2018021551.tif 000007
【図６】
2018021551.tif 000008